(57)【要約】【課題】本考案は、敷き具として使用できるととともに、布団等を干すための物干具としても使用できる使用し易い敷き具兼物干具を提供する。【解決手段】本考案の敷き具兼物干具は、矩形状の芯材の表面に畳表材、裏面に不織布を配置した２個の矩形畳状の敷き具単体２Ａ、２Ｂと、この敷き具単体２Ａ、２Ｂの対向する一辺同士を着脱可能に連結する接続具１０と、敷き具単体２Ａ、２Ｂの各他辺間を連結する長さ寸法調整可能な他辺間連結具２０とを有し、矩形畳状の敷き具単体２Ａ、２Ｂを、平坦な連結展開状態、折り畳み重合状態、接続具１０による一辺同士の接続と前記他辺間連結具２０の長さ寸法により位置規制された山形状起立状態の各態様に変換可能に構成したものである。【選択図】図１
0003105550.tif 000002
【実用新案登録請求の範囲】
【請求項１】
複数の敷き具単体と、
この敷き具単体の対向する一辺同士を着脱可能に連結する接続具と、
複数の敷き具単体の各他辺間を連結する長さ寸法調整可能で、且つ、着脱可能な他辺間連結具と、
を有し、
前記複数の敷き具単体を、平坦な連結展開状態、折り畳み重合状態、前記接続具による一辺同士の接続と前記他辺間連結具の長さ寸法により位置規制された山形状起立状態の各態様に変換可能に構成したことを特徴とする敷き具兼物干具。
【請求項２】
複数の矩形畳状の敷き具単体と、
この敷き具単体の対向する一辺同士を着脱可能に連結する面状ファスナと、
複数の敷き具単体の各他辺間を連結する長さ寸法調整可能で、且つ、着脱可能な面状ファスナ、ベルト及びバックルを用いた他辺間連結具と、
を有し、
前記複数の矩形畳状の敷き具単体を、平坦な連結展開状態、折り畳み重合状態、前記接続具による一辺同士の接続と前記面状ファスナ、ベルト及びバックルを用いた他辺間連結具の長さ寸法により位置規制された山形状起立状態の各態様に変換可能に構成したことを特徴とする敷き具兼物干具。
【請求項３】
矩形状の芯材の表面に畳表材、裏面に不織布を配置した複数の矩形畳状の敷き具単体と、
この敷き具単体の対向する一辺同士を着脱可能に連結する面状ファスナと、
複数の敷き具単体の各他辺間を連結する長さ寸法調整可能で、且つ、着脱可能な面状ファスナ、ベルト及びバックルを用いた他辺間連結具と、
を有し、
前記複数の矩形畳状の敷き具単体を、平坦な連結展開状態、折り畳み重合状態、前記接続具による一辺同士の接続と前記面状ファスナ、ベルト及びバックルを用いた他辺間連結具の長さ寸法により位置規制された山形状起立状態の各態様に変換可能に構成したことを特徴とする敷き具兼物干具。
【請求項４】
複数の敷き具単体と、
この敷き具単体の対向する一辺同士を着脱可能に連結する接続具と、
複数の敷き具単体の各他辺間を連結する長さ寸法調整可能で、且つ、着脱可能な他辺間連結具と、
を有し、
前記複数の敷き具単体を、平坦な連結展開状態、折り畳み重合状態、前記接続具による一辺同士の接続と前記他辺間連結具の長さ寸法により位置規制された山形状起立状態の各態様に変換可能に構成した敷き具兼物干具を、複数個組み合わせたことを特徴とする敷き具兼物干具ユニット。
【請求項５】
複数の矩形畳状の敷き具単体と、
この敷き具単体の対向する一辺同士を着脱可能に連結する面状ファスナと、
複数の敷き具単体の各他辺間を連結する長さ寸法調整可能で、且つ、着脱可能な面状ファスナ、ベルト及びバックルを用いた他辺間連結具と、
を有し、
前記複数の矩形畳状の敷き具単体を、平坦な連結展開状態、折り畳み重合状態、前記接続具による一辺同士の接続と前記面状ファスナ、ベルト及びバックルを用いた他辺間連結具の長さ寸法により位置規制された山形状起立状態の各態様に変換可能に構成した敷き具兼物干具を、複数個組み合わせたことを特徴とする敷き具兼物干具ユニット。
【請求項６】
矩形状の芯材の表面に畳表材、裏面に不織布を配置した複数の矩形畳状の敷き具単体と、
この敷き具単体の対向する一辺同士を着脱可能に連結する面状ファスナと、
複数の敷き具単体の各他辺間を連結する長さ寸法調整可能で、且つ、着脱可能な面状ファスナ、ベルト及びバックルを用いた他辺間連結具と、
を有し、
前記複数の矩形畳状の敷き具単体を、平坦な連結展開状態、折り畳み重合状態、前記接続具による一辺同士の接続と前記面状ファスナ、ベルト及びバックルを用いた他辺間連結具の長さ寸法により位置規制された山形状起立状態の各態様に変換可能に構成した敷き具兼物干具を、複数個組み合わせたことを特徴とする敷き具兼物干具ユニット。
【考案の詳細な説明】
【技術分野】
【０００１】
本考案は、敷き具兼物干具及び敷き具兼物干具ユニットに関し、詳しくは、敷き布団、座布団のような敷き具として広範囲に使用できるととともに、敷き具等を干すための物干具としても使用できる新規な敷き具兼物干具及び敷き具兼物干具ユニットに関するものである。
【背景技術】
【０００２】
従来、敷き物の機能と物干しの機能とを兼備する用具として、例えば樹脂製ですのこ状に、且つ、二つ又は三つ折り可能に形成し、展開した状態では敷き物として使用でき、また、二つ又は三つ折りし起立状態として布団等用の物干具として機能させるように構成したものが知られている。
上記用具の場合には、樹脂製ですのこ状に形成したものであるため、物干具としての強度が必ずしも十分ではなく重量がある敷き布団を干すことは難しいという問題があった。
【０００３】
また、特許文献１には、畳表の裏面全体に発泡材からなる複数の板材を所定の溝を隔てて貼設し、全体として複数箇所で折り畳み可能に構成した敷物が提案されている。
しかし、この特許文献１の敷物の場合には、敷物専用としての機能を発揮するものであり物干具としての機能はないものである。
【０００４】
特許文献２には、矩形状の複数の枠材を回動可能に連結し、枠材の上部枠部にハンガーを取り付けた構成の干しスタンドが提案されている。
この干しスタンドの場合には当然物干具としての機能を発揮するのみであり、敷き具としての機能は有しないものである。
【特許文献１】特開平０８−２４６６４４号公報
【特許文献２】実開平０５−０６３４９３号公報
【考案の開示】
【考案が解決しようとする課題】
【０００５】
解決しようとする問題点は、敷き具として使用できるととともに、布団等を干すための物干具としても使用できる使用しやすい用具が存在しない点である。
【課題を解決するための手段】
【０００６】
本考案は、複数の敷き具単体と、この敷き具単体の対向する一辺同士を着脱可能に連結する接続具と、複数の敷き具単体の各他辺間を連結する長さ寸法調整可能で、且つ、着脱可能な他辺間連結具とを有し、前記複数の敷き具単体を、平坦な連結展開状態、折り畳み重合状態、前記接続具による一辺同士の接続と前記他辺間連結具の長さ寸法により位置規制された山形状起立状態の各態様に変換可能に構成したことを最も主要な特徴とする。
【考案の効果】
【０００７】
本考案によれば、以下の効果を奏する。
すなわち、請求項１乃至３記載の考案によれば、敷き具として使用する場合には、敷き具単体同士の平坦な連結により快適な敷き具領域を提供でき、物干具として使用する場合には敷き具単体同士を適切な各度の山形状起立状態を呈する形態として使用し易い物干領域を提供でき、更に収納時のコンパクト化による便宜も図れる敷き具兼物干具を提供することができる。
【０００８】
請求項４乃至６記載の考案によれば、請求項１乃至３記載の考案の効果を奏するとともに、敷き具領域の拡大、物干し領域の拡大を図れる敷き具兼物干具ユニットを提供することができる。
【考案を実施するための最良の形態】
【０００９】
敷き具として使用できるととともに、布団等を干すための物干具としても使用できる使用しやすい敷き具兼物干具を提供するという目的を、矩形状の芯材の表面に畳表材、裏面に不織布を配置した複数の矩形畳状の敷き具単体と、この敷き具単体の対向する一辺同士を着脱可能に連結する面状ファスナと、複数の敷き具単体の各他辺間を連結する長さ寸法調整可能で、且つ、着脱可能な面状ファスナ、ベルト及びバックルを用いた他辺間連結具とを有し、前記複数の矩形畳状の敷き具単体を、平坦な連結展開状態、折り畳み重合状態、前記接続具による一辺同士の接続と前記面状ファスナ、ベルト及びバックルを用いた他辺間連結具の長さ寸法により位置規制された山形状起立状態の各態様に変換可能に構成したことにより実現した。
【実施例】
【００１０】
以下に、本考案の実施例を詳細に説明する。
（実施例１）
図１は本実施例１の敷き具兼物干具１を示すものであり、この敷き具兼物干具１は、例えば２個の矩形（例えば一片の寸法Ｌ＝１０００ｍｍ程度の正方形）畳状の敷き具単体２Ａ、２Ｂと、この敷き具単体２Ａ、２Ｂの対向する一辺２Ａ１、２Ｂ１同士を着脱可能に連結する平坦な接続具１０と、敷き具単体２Ａ、２Ｂの各他辺２Ａ２、２Ｂ２間を連結する長さ寸法調整可能で、且つ、着脱可能な他辺間連結具２０とを有している。
【００１１】
前記敷き具単体２Ａ（前記敷き具単体２Ｂも同様）は、図２、図３に示すように、矩形状で通常の畳の場合と同等の強度を有する芯材３の表面に畳表材４を、裏面に不織布５を配置するとともに、一辺２Ａ１、他辺２Ａ２の各周囲に畳縁６を寸法Ｌ１＝２５ｍｍ程度の幅で配置している。
【００１２】
前記接続具１０は、図４、図５に示すように、例えば布材等からなる折り畳み易い寸法Ｌ３＝５００ｍｍ、Ｌ４＝５０ｍｍ乃至５５ｍｍ程度の長方形状の接続片１１の一面に面状ファスナ（雌）１２を設けるとともに、前記敷き具単体２Ａ、２Ｂの対向する一辺２Ａ１、２Ｂ１の各裏面における畳縁６の部分に、面状ファスナ（雄）１３、１３を寸法Ｌ３＝５００ｍｍ程度の長さで貼着している。
これにより、図５又は後述する図７に示すように、前記敷き具単体２Ａ、２Ｂの対向する一辺２Ａ１、２Ｂ１同士を接続具１０を用いて着脱可能に連結するようになっている。
【００１３】
他辺間連結具２０は、図６、図７に示すように、一対のベルト２１Ａ、２１Ｂ及び雄、雌構造の互いに嵌合可能なバックル２２Ａ、２２Ｂを用いるとともに面状ファスナ構造に構成している。
【００１４】
敷き具単体２Ａ、２Ｂの各他辺２Ａ２、２Ｂ２間を長さ寸法調整可能に、且つ、着脱可能に連結するようになっている。
すなわち、ベルト２１Ａ、ベルト２１Ｂの相対向する端部には、バックル２２Ａ（雌）、バックル２２Ｂ（雄）を各々取り付け、ベルト２１Ａの反対側の端部には略三角形状を呈するファスナ片２３Ａを、ベルト２１Ｂの反対側の端部には略三角形状を呈するファスナ片２３Ｂを各々取り付けている。
【００１５】
前記ファスナ片２３Ａの端片２４Ａには寸法Ｌ２＝１００ｍｍ程度の長さの面状ファスナ（雌）２５Ａを、また、前記ファスナ片２３Ｂの端片２４Ｂには寸法Ｌ２＝１００ｍｍ程度の長さの面状ファスナ（雌）２５Ｂを各々取り付けている。
【００１６】
前記ベルト２１Ｂは、長さ寸法調整可能に構成している。
すなわち、図７に拡大して示すように、前記ベルト２１Ｂは、バックル２２Ｂ側に固着したバックル側ベルト２６と、前記ファスナ片２３Ｂを端部に縫着した折り返し構造とした調整ベルト２７の折り返し部分とを四角枠状の連結体２８により連結している。
【００１７】
また、前記調整ベルト２７は、四角枠状で中心枠２９ａを有する移動体２９をこの調整ベルト２７に挿通し、更に調整ベルト２７の折り返し端２７ａを移動体２９の中心枠２９ａに固着することにより、移動体２９を図７に示すように矢印方向に移動することで前記バックル２２Ｂと前記面状ファスナ（雌）２５Ｂとの長さ寸法、
従って、前記他辺間連結具２０の長さ寸法を調整可能としている。
【００１８】
次に、上述した構成の本実施例１の敷き具兼物干具１の作用を、敷き具、物干具、収納時の各形態別に、且つ、図８、図９をも参照して説明する。
【００１９】
（敷き具としての作用）
この場合には、図１に示すように、前記敷き具単体２Ａ、２Ｂを畳表材４が上面となるようにして平坦に展開した状態とするものであり、敷き具単体２Ａと敷き具単体２Ｂとを図１に示すように前記接続具１０により面ファスナ連結状態で例えば畳、床又はベッド等の上に敷設する。この際、前記接続具１０は敷き具単体２Ａ、敷き具単体２Ｂの裏面側に隠れることになり、敷き具単体２Ａと敷き具単体２Ｂとを一辺２Ａ１、２Ｂ１同士を平坦に、且つ、奇麗に連結した状態とすることができ、快適な敷き具領域とすることができる。
【００２０】
なお、前記接続具１０を取り外し、単に敷き具単体２Ａと敷き具単体２Ｂとを突き合わせ状態で連結した敷き具領域とすることも勿論可能である。更に、前記他辺間連結具２０についても敷き具単体２Ａ及び敷き具単体２Ｂに着けたままとするか、取り外した状態とするかは任意である。
【００２１】
（物干具としての作用）
この場合には、図８に示すように、敷き具単体２Ａと敷き具単体２Ｂとを前記接続具１０により連結した状態で、且つ、前記敷き具単体２Ａ、２Ｂを畳表材４が外面となるようにして例えば垂直から各々３０度乃至４０度程度傾斜した状態とするとともに、前記敷き具単体２Ａ、２Ｂの各他辺２Ａ２、２Ｂ２間を、前記他辺間連結具２０により着脱可能に連結し、全体として図８に示すよう山形状起立状態を呈する形態とする。
この際に、前記敷き具単体２Ａ、２Ｂの他辺２Ａ２、２Ｂ２間の寸法は、既述した他辺間連結具２０の長さ寸法調整機能により種々に変更でき、敷き具単体２Ａと敷き具単体２Ｂとのなす角度を物干具として最適な角度に調整できる。また、前記敷き具単体２Ａ、２Ｂの芯材３は、通常の畳の場合と同等の強度を有するように構成しているので、図８に示すように、山形状起立状態とした前記敷き具単体２Ａ、２Ｂの上から重量の有る掛け布団４０を掛けてこの掛け布団４０を日光等で干すような場合でも、強度的に何ら問題なく物干具として機能させることができる。
【００２２】
（収納時の作用）
この場合には、図９に示すように、敷き具単体２Ａと敷き具単体２Ｂとを前記接続具１０により連結した状態で、且つ、前記敷き具単体２Ａ、２Ｂを畳表材４が外面となるようにして重ね合わせコンパクトな形態とし、例えば垂直配置、又は水平配置で押し入れ等の所定の収納場所に収納するものである。
この際、前記接続具１０や前記他辺間連結具２０を着けたままとする他、外した状態として収納することも勿論可能であるが、次回の使用を考慮すると接続具１０や前記他辺間連結具２０を着けたままとした方が便利である。
【００２３】
（実施例２）
次に、図１０を参照して本考案の実施例２について説明する。
本実施例２は、上述した敷き具兼物干具１を例えば２個一組で使用し、並べて使用する構成の敷き具兼物干具ユニット５０としたことが特徴である。なお、図１０は敷き具兼物干具ユニット５０を物干具として使用する場合を示すものである。
【００２４】
本実施例２の敷き具兼物干具ユニット５０を、敷き具として使用する場合には、２個一組の敷き具兼物干具１を、実施例１の場合と同様にして各敷き具単体２Ａ、２Ｂを畳表材４が上面となるようにして平坦に展開し、且つ、並べて使用するものであり、これにより、快適で、且つ、面積を２倍に拡張した敷き具領域をとすることができる。この結果、ダブルベット、セミダブルベット等のような通常のシングルベッドよりも面積の広い敷き具領域にも対応できる。
【００２５】
また、前記敷き具兼物干具ユニット５０を物干具として使用する場合には、基本的な作用効果は実施例１の場合と同様であるが、図１０に示すように、２個一組の敷き具兼物干具１を並べて山形状起立状態の配置とすることにより、実施例１の場合よりも２倍広い掛け布団４０等の干し領域を提供することができる。前記敷き具兼物干具ユニット５０を収納する場合の作用効果は、実施例１の場合の場合と同様である。
【産業上の利用可能性】
【００２６】
本考案は、上述した場合の他、敷き具兼物干具の敷き具単体の素材を合成樹脂材等耐水性のある素材で形成することにより、海辺やキャンプ等で使用するレジャー用等の敷き具兼物干具として幅広く適用できる。
【図面の簡単な説明】
【００２７】
【図１】本考案の実施例１の敷き具兼物干具の展開状態の正面図である。
【図２】本考案の実施例１の敷き具単体の平面図である。
【図３】本考案の実施例１の敷き具単体の底面図である。
【図４】本考案の実施例１の節接続具の平面図である。
【図５】本考案の実施例１の節接続具による敷き具単体同士の連結状態を示す部分拡大図である。
【図６】本考案の実施例１の他辺連結具を示す平面図である。
【図７】本考案の実施例１の他辺連結具の部分拡大斜視図である。
【図８】本考案の実施例１の敷き具兼物干具の物干具としての使用状態を示す斜視図である。
【図９】本考案の実施例１の敷き具兼物干具の収納状態を示す正面図である。
【図１０】本考案の実施例２の敷き具兼物干具ユニットを示す斜視図である。
【符号の説明】
【００２８】
１      敷き具兼物干具
２Ａ    敷き具単体
２Ａ１  一辺
２Ａ２  他辺
２Ｂ    敷き具単体
２Ｂ１  一辺
２Ｂ２  他辺
３      芯材
４      畳表材
５      不織布
６      畳縁
１０      接続具
１１      接続片
２０      他辺間連結具
２１Ａ    ベルト
２１Ｂ    ベルト
２２Ａ    バックル
２２Ｂ    バックル
２３Ａ    ファスナ片
２３Ｂ    ファスナ片
２４Ａ    端片
２４Ｂ    端片
２６      バックル側ベルト
２７      調整ベルト
２７ａ    折り返し端
２８      連結体
２９      移動体
２９ａ    中心枠
４０      掛け布団
【図１】
0003105550.tif 000003
【図２】
0003105550.tif 000004
【図３】
0003105550.tif 000005
【図４】
0003105550.tif 000006
【図５】
0003105550.tif 000007
【図６】
0003105550.tif 000008
【図７】
0003105550.tif 000009
【図８】
0003105550.tif 000010
【図９】
0003105550.tif 000011
【図１０】
0003105550.tif 000012